(57)【要約】【課題】液体（熱湯）導出時の安全を確保しつつ、発光部を発光させる電力低下をはかった電気湯沸かし器を提供することを目的とするものである。【解決手段】操作部１１の操作により制御手段１０は、導出手段６の作動開始時における発光部９の光の照度を所定時間後に低下させるよう通電制御を行うようにしたものである。これによって、液体（熱湯）を注ぐ時の安全を確保しつつ、発光部９を発光させる電力低下をはかることができる。【選択図】図１
2007007014.tif 000002
【特許請求の範囲】
【請求項１】
器体内に装備し液体を収容する容器と、この容器内の液体を加熱する加熱体と、容器内の液体を導出口より器体外へと送り出す導出手段と、導出された液体の到達地点またはその近傍を照射する発光部と、導出手段の作動と発光部への通電制御をする制御手段と、この制御手段を器体外で操作する操作部とを備え、前記操作部の操作により制御手段は、導出手段の作動開始時における発光部の光の照度を所定時間後に低下させるよう通電制御を行う電気湯沸かし器。
【請求項２】
操作部は、導出手段を作動させる出湯スイッチと、出湯スイッチの操作を可能にするためのロック解除スイッチとを備え、ロック解除スイッチの操作時に発光部を発光させるとともに、出湯スイッチの操作による導出手段の作動所定時間経過後に発光部の光の照度を低下させるよう通電制御を行う請求項１に記載の電気湯沸かし器。
【請求項３】
発光部の光の照度低下は、階段状に低下させる請求項１または２に記載の電気湯沸かし器。
【請求項４】
発光部の光の照度低下は、２段階とした請求項３に記載の電気湯沸かし器。
【請求項５】
制御手段は、導出手段の作動停止後、発光部の光の照度を導出手段作動中の照度よりも増加させるよう通電制御を行う請求項１〜４のいずれか１項に記載の電気湯沸かし器。
【請求項６】
導出手段と発光部を作動させる商用電源以外の電源を備えた請求項１〜５のいずれか１項に記載の電気湯沸かし器。
【請求項７】
発光部に電球を用いた請求項１〜６のいずれか１項に記載の電気湯沸かし器。
【請求項８】
室内の明るさを感知する光センサーを備え、発光部の発光を制御するようにした請求項１〜７のいずれか１項に記載の電気湯沸かし器。
【発明の詳細な説明】
【技術分野】
【０００１】
本発明は、収容液体を加熱・保温し、器体外へ導出する電気湯沸かし器に関するものである。
【背景技術】
【０００２】
従来、この種の電気湯沸かし器は、液体を収容する容器内の液体（熱湯）を導出される器体設置面上への到達地点の近傍を照射する発光部が備えられていた。これは、発光部の照射により、例えば、コーヒーカップの置く位置を知らせ、位置ずれにより導出される液体が飛散してしまうという不具合をなくしている（例えば、特許文献１参照）。
【特許文献１】特開平８−３１７８６１号公報
【発明の開示】
【発明が解決しようとする課題】
【０００３】
しかしながら、前記従来の構成では、コーヒーカップの置く位置が定まり、位置ずれにより液体が飛散してしまうという不具合が解決されるものの、発光部を発光させる電力が必要となるといった課題を有していた。
【０００４】
本発明は、前記従来の課題を解決するもので、液体（熱湯）導出時の安全を確保しつつ、発光部を発光させる電力低下をはかった電気湯沸かし器を提供することを目的とするものである。
【課題を解決するための手段】
【０００５】
前記従来の課題を解決するために、本発明の電気湯沸かし器は、導出手段の作動開始時における発光部の光の照度を所定時間後に低下させるよう通電制御を行うようにしたものである。
【０００６】
これによって、液体（熱湯）を注ぐ時の安全を確保しつつ、発光部を発光させる電力低下をはかることができる。
【発明の効果】
【０００７】
本発明の電気湯沸かし器は、液体（熱湯）導出時の安全を確保しつつ、発光部を発光させる電力低下をはかることができる。
【発明を実施するための最良の形態】
【０００８】
第１の発明は、器体内に装備し液体を収容する容器と、この容器内の液体を加熱する加熱体と、容器内の液体を導出口より器体外へと送り出す導出手段と、導出された液体の到達地点またはその近傍を照射する発光部と、導出手段の作動と発光部への通電制御をする制御手段と、この制御手段を器体外で操作する操作部とを備え、前記操作部の操作により制御手段は、導出手段の作動開始時における発光部の光の照度を所定時間後に低下させるよう通電制御を行う電気湯沸かし器とすることにより、液体（熱湯）を注ぐ時の安全を確保しつつ、発光部を発光させる電力低下をはかることができる。
【０００９】
第２の発明は、特に、第１の発明において、操作部は、導出手段を作動させる出湯スイッチと、出湯スイッチの操作を可能にするためのロック解除スイッチとを備え、ロック解除スイッチの操作時に発光部を発光させるとともに、出湯スイッチの操作による導出手段の作動所定時間経過後に発光部の光の照度を低下させるよう通電制御を行うことにより、コーヒーカップのような比較的小さな器を器体設置面上に置く位置を予め知らしめることができ、器の置く位置のずれによる液体が飛散を防止することができる。
【００１０】
第３の発明は、特に、第１または第２の発明において、発光部の光の照度低下は、階段状に低下させることにより、制御手段の構成を容易にできるようにしたものである。
【００１１】
第４の発明は、特に、第３の発明において、発光部の光の照度低下は、２段階としたことにより、制御手段の構成をより容易にし、部品数を削減することで、安価で提供できるようにしたものである。
【００１２】
第５の発明は、特に、第１〜第４のいずれか１つの発明において、制御手段は、導出手段の作動停止後、発光部の光の照度を導出手段作動中の照度よりも増加させるよう通電制御を行うことにより、導出手段作動中に発光部の照度を低下させることを、使用者にわからないようにし、違和感のないようにすることができる。また、導出手段作動完了後の器の位置を鮮明に示すことができる。
【００１３】
第６の発明は、特に、第１〜第５のいずれか１つの発明において、導出手段と発光部を作動させる商用電源以外の電源を備えたことにより、例えば、電池を備えたものにおいては、電源の寿命を増加させることができる。
【００１４】
第７の発明は、特に、第１〜第６のいずれか１つの発明において、発光部に電球を用いたことにより、発光部の構成が簡単となるとともに、電球の寿命を増加させることができる。
【００１５】
第８の発明は、特に、第１〜第７のいずれか１つの発明において、室内の明るさを感知する光センサーを備え、発光部の発光を制御するようにしたことにより、室内が暗いときに、発光部の照度を低下させることで、使用者に違和感なく発光部を発光させ、電力低下をはかることができる。
【００１６】
以下、本発明の実施の形態について、図面を参照にしながら説明する。なお、この実施の形態によって本発明が限定されるものではない。
【００１７】
（実施の形態）
図は、本発明の実施の形態における電気湯沸かし器を示している。
【００１８】
本実施の形態における電気湯沸かし器は、図１に示すように、器体１内に装備し液体を収容する容器２と、この容器２内の液体を加熱する加熱体３と、容器２の開口部を覆う蓋体４と、容器２内の液体（熱湯）を、導水路５を介して実線矢印のように器体１外へと送り出す電動ポンプよりなる導出手段６と、導水路５の一端にあって片側が器体１外に臨む導出口７と、導出された液体の器体設置面８上への到達地点またはその近傍を破線矢印のように照射する発光部９と、導出手段６の作動と発光部９への通電制御をする制御手段１０と、この制御手段１０を器体１外で操作する操作部１１とを備えている。なお、器体１には、室内の明るさを感知する光センサー２０を設けている。また、導出口７の下方の器体設置面８には、導出された液体を収容するコーヒーカップのような器２１が設置されており、発光部９の作動により設置位置が知らされ、導出された液体を受けるものである。
【００１９】
前記操作部１１は、図２に示すように、導出手段６を作動させる出湯スイッチ１２と、その操作を可能にするためのロック解除スイッチ１３と、その他のスイッチなどを備えている。そして、ロック解除スイッチ１３を操作すると、発光部９を作動させるように回路的に構成されている。
【００２０】
また、制御手段１０は、導出手段６の作動開始時における発光部９の光の照度を所定時間後に低下させるよう通電制御を行うものであり、図３に示すように構成されている。商用電源１５が外されているときに、電源を供給するコンデンサーなどの２次電源１４は、商用電源１５をＤＣ変換回路１８で変換後接続されている。商用電源１５の接続の有無は、降圧回路１６よりマイクロコンピューター（以下マイコン）１７に認識され、導出手段６と発光部９に供給する電源を２次電源１４と商用電源１５に選択するように構成されている。発光部９はネオンランプなどのフィラメントを用いた電球を用いられており、マイコン１７に異なった抵抗値の複数の抵抗と直列に接続されている。本実施の形態では、抵抗１９ａと抵抗１９ｂの２本が接続されており、抵抗値を抵抗１９ａ＜抵抗１９ｂになるように設定している。抵抗１９ａの抵抗値は、住宅の照度基準（ＪＩＳＺ９１１０−１９７９）で推奨されている５００ｌｘの照度条件下で発光部９の発光が使用者に識別できる照度になるように設定されている。また光センサー２０もマイコン１７に接続されており、室内の照度、すなわち器体１の設置場所の照度を入力している。
【００２１】
以上のように構成された、電気湯沸かし器について、以下その動作、作用を図４に基づいて説明する。図４は本実施の形態の光センサー２０が作動していない場合のタイムチャートを示したものである。
【００２２】
容器２内の加熱体３により加熱された液体を器体１外へ導くために、ロック解除スイッチ１３を操作すると、器体１外に臨む導出口７より導出される液体の器体設置面８上への到達地点の近傍を発光部９が抵抗１９ａで設定された照度で照射する（（ａ）の位置）。次に、出湯スイッチ１２を操作すると導出手段６が作動し（（ｂ）の位置）、容器２内の液体は導水路５を通過して、導出口７より導出され器２１に収容される。液体を収容した器２１内の液面上は、導出される液体により揺らぐことになる。このとき、当初、発光部９により照射されていた部分も揺らでいる液面上を照らすことになる。
【００２３】
そして、出湯スイッチ１２を操作後所定時間（本実施の形態では約３秒）が経過すると、マイコン１７により、発光部９の回路が抵抗１９ａから抵抗１９ｂに切り替わり（（ｃ）の位置）、照度を低下させて照射を続ける。このとき液体を収容した器２１内の液面上は、導出される液体により揺らぎつづけているため、使用者に照度低下が気づかれることなく、つまり違和感なく電力の低下をさせることができる。
【００２４】
導出操作を停止するために、出湯スイッチ１２の操作を停止すると（手を離すと）、導出手段６の作動が止まり容器２内の液体の導出が停止する。このとき、同時に、マイコン１７により、発光部９の回路が、再び抵抗１９ｂから抵抗１９ａに切り替わり、発光部９の照度を導出操作前の状態にもどすように設定されている（（ｄ）の位置）。この動作により導出手段６の作動完了後における器２１の位置を鮮明に示すことができる。
【００２５】
導出操作を停止後所定時間（本実施の形態では約１０秒）で発光部９への照射も停止するように設定されている（（ｅ）の位置）。なお、ロック解除スイッチ１３を再度操作することで、使用者が意図的に発光部９への照射を停止ことも可能である。
【００２６】
図５は、本実施の形態の光センサー２０が作動している場合のタイムチャートを示したものである。光センサー２０は、器体１の周囲の照度が、住宅の照度基準（ＪＩＳＺ９１１０−１９７９）で推奨されている５００ｌｘの照度より暗いと識別すると作動し、マイコン１７に信号を送る。マイコン１７は、発光部９の照度が、抵抗１９ａに設定されている照度が必要でないことを判断し、抵抗１９ｂで設定されている照度で一連の動作を行うことになる。つまり、容器２内の加熱体３により加熱された液体を器体１外へ導くために、ロック解除スイッチ１３を操作すると、器体１外に臨む導出口７より導出される液体の器体設置面８上への到達地点の近傍を発光部９が抵抗１９ｂで設定された照度で照射する（（ｆ）の位置）。このとき、器体１の周囲が暗いため、抵抗１９ｂで設定された照度で照射しても、使用者は、導出口７より導出される液体の器体設置面８上への到達地点を認知することができる。
【００２７】
次に、出湯スイッチ１２を操作すると導出手段６が作動し（（ｇ）の位置）、容器２内の液体は導水路５を通過して、導出口７より導出され器２１に収容される。発光部９は抵抗１９ｂで設定された照度で照射を続けることになる。導出操作を停止するために、出湯スイッチ１２の操作を停止すると（（ｈ）の位置）、導出手段６の作動が止まり容器２内の液体の導出が停止する。導出操作を停止後所定時間（本実施の形態では約１０秒）で発光部９への照射も停止するように設定されている（（ｊ）の位置）。
【００２８】
なお、上記の説明では、発光部９に流れる発光させる電力の低下をさせることが明白であるが、発光部９に、ネオンランプなどのフィラメントを用いた電球を用いている本実施の形態の場合、発光部９の負荷を抑制でき寿命を増加させることができる。また、商用電源１５を外して使用する場合、２次電源１４の寿命を増加させるもできる。
【産業上の利用可能性】
【００２９】
以上のように、本発明にかかる電気湯沸かし器は、液体（熱湯）導出時の安全を確保しつつ、発光部を発光させる電力低下をはかることができるので、飲料自販機、給湯器などの機器をも含むものでこれらの用途にも適用できる。
【図面の簡単な説明】
【００３０】
【図１】本発明の実施の形態における電気湯沸かし器の概略断面図
【図２】同電気湯沸かし器の操作部を示す平面図
【図３】同電気湯沸かし器の制御手段を中心とした電気回路図
【図４】同電気湯沸かし器の光センサーが作動していない場合の発光部の動作タイムチャート
【図５】同電気湯沸かし器の光センサーが作動した場合の発光部の動作タイムチャート
【符号の説明】
【００３１】
１  器体
２  容器
３  加熱体
５  導水路
６  導出手段
７  導出口
８  器体設置面
９  発光部
１０  制御手段
１１  操作部
１２  出湯スイッチ
１３  ロック解除スイッチ
１４  ２次電源
１５  商用電源
２０  光センサー
【図１】
2007007014.tif 000003
【図２】
2007007014.tif 000004
【図３】
2007007014.tif 000005
【図４】
2007007014.tif 000006
【図５】
2007007014.tif 000007